(57)【要約】【課題】  画像処理装置は、一般的に手差し給紙が可能である。しかし、手差し給紙における給紙用紙は、他の給紙手段における給紙用紙に比べ、特に人に触れる範囲が広く印字されるまでの時間が一般的に短い傾向がある。そのため、給紙用紙に図５に示す様な指紋等の汚れが付着することが多い。そのため、現在の手差し給紙印刷の仕組みでは、印字出力した用紙に指紋跡等の汚れが目立ってしまう。【解決手段】  本発明によれば、手差し給紙における給紙用紙をプレ定着することで、指紋跡等の汚れを除去することができ、また指紋跡除去機能の有効化、無効化をユーザの指示や給紙用紙の属性により設定することが可能となり、印刷結果の画質、ユーザの利便性が向上する。【選択図】  図１
2007286108.tif 000002
【特許請求の範囲】
【請求項１】
画像データの静電潜像を形成する感光ドラムと、
感光ドラムにトナーを供給する現像装置と、
感光ドラム上に可視像化された画像を記録紙に転写する転写装置と、
記録紙に転写された画像を定着する定着装置と、
記録紙を反転する記録紙反転装置と、
反転した記録紙を搬送する再給紙搬送装置と
を有する画像処理装置において、
記録紙を給紙するための手差し給紙装置と、
記録紙に付着した指紋跡を消すために、記録紙への画像転写前に記録紙を前記定着装置を通し、強制両面パスを行う強制両面パスモード設定手段と、
手差し給紙装置から給紙を行うと判断した場合に、強制両面パスモードの設定手段を表示する表示手段と、
手差し給紙装置から給紙を行うと判断した場合に、強制両面パスモードを選択可能とすること
を特徴とする画像処理装置。
【請求項２】
請求項１において、
手差し給紙装置から給紙を行うと判断した場合に、自動で両面パスモードを設定すること
を特徴とする画像処理装置。
【請求項３】
請求項1において、
強制両面パスモードの設定選択手段の有効化、無効化を選択できること
を特徴とする画像処理装置。
【請求項４】
請求項3において、
強制両面パスモードの設定選択はユーザが指定可能であること
を特徴とする画像処理装置。
【発明の詳細な説明】
【技術分野】
【０００１】
本発明は、画像処理装置において手差し給紙の際に給紙用紙につく指紋跡等の汚れを除去する技術に関するものである。
【背景技術】
【０００２】
従来、給紙された用紙の両面に印刷できる装置がある。この場合、まず片面に印刷を行うために給紙された用紙を定着し、印字を実行し、その後両面印刷のための給送パスを介して再度裏面に印字を実行するという処理を行っている。（例えば特許文献１）
【特許文献１】特開平８−２６２８１４号公報
【発明の開示】
【発明が解決しようとする課題】
【０００３】
画像処理装置は、人の手によって印刷用紙が給紙手段（例えば給紙カセット）にセットされる。この時、直接印刷用紙を手で持つことにより指紋などの汚れが付着してしまうことがある。特に、手差し給紙における給紙用紙は、他の給紙手段における給紙用紙に比べ、特に人に触れる場合が多い。印刷用紙に付着した指紋などの汚れは、印刷後に排紙された場合に目立ってしまっていた。
【課題を解決するための手段】
【０００４】
上述した課題を解決する為に、本発明に係る画像形成装置は以下のような構成を備える。即ち、
画像データの静電潜像を形成する感光ドラムと、
感光ドラムにトナーを供給する現像装置と、
感光ドラム上に可視像化された画像を記録紙に転写する転写装置と、
記録紙に転写された画像を定着する定着装置と、
記録紙を反転する記録紙反転装置と、
反転した記録紙を搬送する再給紙搬送装置と
を有する画像処理装置において、
記録紙を給紙するための手差し給紙装置と、
記録紙に付着した指紋跡を消すために、記録紙への画像転写前に記録紙を前記定着装置を通し、強制両面パスを行う強制両面パスモード設定手段と、
手差し給紙装置から給紙を行うと判断した場合に、強制両面パスモードの設定手段を表示する表示手段と、
前記設定手段において、設定選択はユーザが指定可能であること、
手差し給紙装置から給紙を行うと判断した場合に、自動で両面パスモードを設定すること、
強制両面パスモードの設定選択手段の有効化、無効化を選択できること、
強制両面パスモードの設定選択はユーザが指定可能であること
を備える。
【発明の効果】
【０００５】
本発明によれば、手差し給紙における給紙用紙をプレ定着することで、指紋跡等の汚れを除去することができ、また指紋跡除去機能の有効化、無効化をユーザの指示や給紙用紙の属性により設定することが可能となり、印刷結果の画質、ユーザの利便性が向上する。
【発明を実施するための最良の形態】
【０００６】
（実施例１）
＜以下、画像形成装置の基本説明＞
図１は、複写機１００１の主要部の構成を示すブロック図である。
【０００７】
複写機１００１はコントローラユニット２０００を含み、コントローラユニット２０００には、画像入力デバイスであるスキャナ２０７０や画像出力デバイスであるプリンタ２０９５が接続されるとともに、操作部２０１２が接続される。コントローラユニット２０００は、スキャナ２０７０で読み取られた画像データをプリンタ２０９５により印刷出力するコピー機能を実現するための制御を行うとともに、ＬＡＮ１００６や公衆回線１００８（ＷＡＮ）に接続することによって、画像情報やデバイス情報の入出力を行うための制御を行う。
【０００８】
コントローラユニット２０００は、具体的には、ＣＰＵ２００１を有し、ＣＰＵ２００１は、ＲＯＭ２００３に格納されているブートプログラムによりオペレーションシステム（ＯＳ）を立ち上げ、このＯＳ上で、ＨＤＤ（ハードディスクドライブ）２００４に格納されているアプリケーションプログラムを実行し、これによって各種処理を実行する。このＣＰＵ２００１の作業領域としてはＲＡＭ２００２が用いられる。ＲＡＭ２００２は、作業領域を提供するとともに、画像データを一時記憶するための画像メモリ領域を提供する。ＨＤＤ２００４は、上記アプリケーションプログラムや画像データを格納する。
【０００９】
ＣＰＵ２００１には、システムバス２００７を介して、ＲＯＭ２００３およびＲＡＭ２００２とともに、操作部Ｉ／Ｆ（操作部インタフェース）２００６、ネットワークＩ／Ｆ（ネットワークインタフェース）２０１０、モデム２０５０およびイメージバスＩ／Ｆ（イメージバスインタフェース）２００５が接続される。
【００１０】
操作部Ｉ／Ｆ２００６は、タッチパネルを有する操作部２０１２とのインタフェースであり、操作部２０１２に表示すべき画像データを操作部２０１２に対して出力する。また、操作部Ｉ／Ｆ２００６は、操作部２０１２においてユーザにより入力された情報をＣＰＵ２００１に送出する。
【００１１】
次に、ネットワークＩ／Ｆ２０１０は、ＬＡＮ１００６に接続され、ＬＡＮ１００６を介してＬＡＮ１００６上の各装置との間で情報の入出力を行う。モデム２０５０は、公衆回線１００８に接続され、公衆回線１００８を介して情報の入出力を行う。
【００１２】
イメージバスＩ／Ｆ２００５は、システムバス２００７と、画像データを高速で転送する画像バス２００８とを接続し、データ形式を変換するためのバスブリッジである。画像バス２００８は、ＰＣＩバスまたはＩＥＥＥ１３９４から構成される。画像バス２００８上には、ラスタイメージプロセッサ（以下、「ＲＩＰ」という）２０６０、デバイスＩ／Ｆ２０２０、スキャナ画像処理部２０８０、プリンタ画像処理部２０９０、画像回転部２０３０、および画像圧縮部２０４０が設けられる。
【００１３】
ＲＩＰ２０６０は、ＰＤＬコードをビットマップイメージに展開するプロセッサである。デバイスＩ／Ｆ２０２０には、スキャナ２０７０およびプリンタ２０９５が接続され、デバイスＩ／Ｆ２０２０は、画像データの同期系／非同期系の変換を行う。スキャナ画像処理部２０８０は、入力画像データに対し補正、加工、編集を行う。プリンタ画像処理部２０９０は、プリント出力画像データに対してプリンタ２０９５に応じた補正、解像度変換などを行う。画像回転部２０３０は、画像データの回転を行う。画像圧縮部２０４０は、多値画像データをＪＰＥＧデータに、２値画像データをＪＢＩＧ、ＭＭＲ、ＭＨなどのデータに圧縮するとともに、その伸張処理を行う。
【００１４】
次に、スキャナ２０７０およびプリンタ２０９５のハードウェア構成について図２を参照して説明する。
【００１５】
図２は、図１に示すスキャナ２０７０およびプリンタ２０９５のハードウェア構成を示す側断面図である。
【００１６】
スキャナ２０７０とプリンタ２０９５とは、図２に示すように、一体的に構成されている。スキャナ２０７０は、原稿給紙ユニット２５０を搭載し、原稿給紙ユニット２５０は、原稿を先頭から順に１枚ずつプラテンガラス２１１上へ給送し、各原稿の読取動作が終了する毎に、その原稿をプラテンガラス２１１から排出トレイ（図示せず）に排出する。スキャナ２０７０は、原稿がプラテンガラス２１１上に給送されると、ランプ２１２を点灯し、移動ユニット２１３の移動を開始する。この移動ユニット２１３の移動によりプラテンガラス２１１上の原稿に対する読取走査が行われる。この読取走査中、原稿からの反射光は、各ミラー２１４，２１５，２１６およびレンズ２１７を経てＣＣＤイメージセンサ（以下、「ＣＣＤ」という）２１８に導かれ、原稿上の画像がＣＣＤ２１８の撮像面上に結像される。ＣＣＤ２１８は、撮像面に結像された画像を電気信号に変換し、この電気信号が所定の処理施された後に制御装置（図示せず）に入力される。
【００１７】
プリンタ２０９５は、レーザドライバ３２１を有し、レーザドライバ３２１は、制御装置から入力された画像データに基づきレーザ発光部３２２を駆動する。これにより、レーザ発光部３２２からは画像データに応じたレーザ光が発光され、このレーザ光は走査されながら感光ドラム３２３上に照射される。感光ドラム３２３上には、照射されたレーザ光により静電潜像が形成され、この静電潜像は現像器３２４から供給されたトナーによりトナー像として可視像化される。レーザ光の照射タイミングに同期して、各カセット３１１，３１２から記録紙が搬送路を介して感光ドラム３２３と転写部３２５との間に給紙され、感光ドラム３２３上のトナー像は転写部３２５により給紙された記録紙上に転写される。
【００１８】
トナー像が転写された記録紙は、搬送ベルトを介して定着ローラ対（加熱ローラと加圧ローラ）３２６に送られ、定着ローラ対３２６は、記録紙を熱圧し、記録紙上のトナー像を記録紙上に定着させる。この定着ローラ対３２６を通過した記録紙は、排紙ローラ対３２７により排紙ユニット３３０に排紙される。排紙ユニット３３０は、ソート、ステイプルなどの後処理を施すことが可能なシート処理装置からなる。
【００１９】
また、両面記録モードが設定されている場合には、記録紙を排紙ローラ対３２７まで搬送した後に、排紙ローラ対３２７の回転方向を逆転させ、フラッパ３２８によって再給紙搬送路３３９へ導く。再給紙搬送路３３９に導かれた記録紙は、上述したタイミングで感光ドラム３２３と転写部３２５との間に再給紙され、この記録紙の裏面にトナー像が転写される。
【００２０】
図３は、図１に示す操作部２０１２の構成を示す平面図である。
【００２１】
ＬＣＤ表示部２０１３は、ＬＣＤ上にタッチパネルシートが貼られた構造となっており、複写機１００１の操作画面を表示するとともに、該画面に表示されたキーが押されるとその位置情報をコントローラユニット２０００のＣＰＵ２００１に伝える。スタートキー２０１４は、原稿画像の読み取り動作を開始する時などに用いられる。スタートキー２０１４の中央部には、緑と赤の２色ＬＥＤ２０１８が設けられ、その色によってスタートキー２０１４が使える状態にあるか否かを示す。ストップキー２０１５は、稼働中の動作を止めるときに操作される。ＩＤキー２０１６は、使用者のユーザＩＤを入力する時に用いられる。リセットキー２０１７は、操作部２０１２からの設定を初期化する時に用いられる。
【００２２】
図４は、操作部２０１２上に表示される操作画面の一例を示す図である。
【００２３】
操作部２０１２の操作画面の上部には、タッチキーからなり、各種の機能を選択するためのコピータブ９０１、送信／ＦＡＸタブ９０２、ボックスタブ９０３、ブラウザタブ９０４、右矢印タブ９０５が表示される。
【００２４】
図４は、コピータブ９０１のタッチキーが押下されたときのコピー機能の初期画面を表している。コピー機能に関する表示は領域９０６で行なわれ、領域９０６の上から、「コピーできます」が表示されている領域には、コピー機能で表示すべきステータスを表示し、その下の領域には、倍率、選択給紙段、置数を表示する。また、コピー機能の動作モードを設定するためのタッチキーとして、等倍、倍率、用紙選択、ソータ、両面、割込み、文字、濃度調整用としての薄くするに対応する左矢印キー、濃くするに対応する右矢印キー、濃度を自動調整する自動キーが表示され、また、初期画面に表示しきれない動作モードの指定画面は、応用モードキーを押下することで、階層的に領域９０６内に表示されるようになっている。
【００２５】
また、表示領域９０７は、複写機１００１のステータスを表示する領域であり、例えば、ジャムなどのアラームメッセージや、ＰＤＬプリントが行われているときにＰＤＬプリント中であることを示すステータスメッセージを表示する領域である。表示領域９０７にはシステム状況／中止タッチキー９０８が表示され、該システム状況／中止タッチキー９０８を押下すると、複写機１００１のデバイス情報を表示する画面や、プリントジョブ状況を表示する画面（図示せず）を表示し、この画面ではジョブの中止を行うことが可能になる。
【００２６】
ボックスタブ９０３を押下すると、複写機１００１上で読み取った画像をＨＤＤ２００４内のボックス領域に保存したり、ボックス領域に保存されている画像データを指定して印刷したり、ＬＡＮ１００６上の機器に送信したりするための設定画面（図示せず）を表示する。
【００２７】
また、５つ以上の機能がコントローラユニット２０００に装備されている場合は、コピー、送信／ＦＡＸ、ボックス、ブラウザの４つ機能タブ９０１〜９０４の右横に右矢印キー９０５が表示され、右矢印キー９０５が押下されると、別の機能のための画面が表示されるようになっている。
（以上、複写機の基本説明）
以下では、複写機操作部の指紋跡等除去機能（以下、強制両面パスモード）の設定ボタンを表示させる方法と、複写機操作部の強制両面パスモードを設定する方法と、手差し給紙印刷を行う際の複写機内部動作について説明する。
【００２８】
図６は、図７の手差し給紙設定画面に、強制両面パスモードを設定するためのボタン表示、非表示を設定するための、ユーザモード設定画面である。ユーザモードとは、ユーザが複写機の基本設定や表示設定等を行うことができるモードであるが、本実施例では、一例として記載する。図６において、601の強制両面パスボタン表示ONを選択し、603のOKボタンを押下することで、図８の801の強制両面パスモード設定ボタンが表示される。また、強制両面パス設定ボタンを表示設定とした際は、図８の手差し給紙設定画面にはデフォルトで押下された反転状態となる。
【００２９】
また、図６において、602の強制両面パスボタン表示OFFを選択し、603のOKボタンを押下することで、図７のように、強制両面パスモード設定ボタンが非表示化される。
【００３０】
図１０は、図７の手差し給紙設定画面に、強制両面パスモードを設定するためのボタン表示、非表示を設定する際のフローチャートである。S101にて図６のユーザモード設定画面を表示し、S102で、強制両面パスモード設定ボタンの表示、非表示化を設定する。S103にてOKボタンを押下する。S104にて、強制両面パスモード設定ボタンの表示、非表示設定を判断し、強制両面パスモード設定ボタンが表示設定の場合は、S105にて表示設定情報がHDD2004に保存される。強制両面パスモード設定ボタンが非表示設定の場合は、S106にて非表示設定情報がHDD2004に保存される。
【００３１】
図１１は、強制両面パスモード設定を行う際のフローチャートである。
【００３２】
S111にて、手差し給紙部に給紙用紙を置く。複写機は手差し給紙部の給紙用紙を検知しS112にて、手差し給紙設定画面を表示する。S113にて、複写機は図１０のフローチャートで設定した、強制両面パスモード設定ボタンの表示、非表示設定情報をHDD2004から取得する。
【００３３】
強制両面パスモード設定ボタンが表示と設定された場合は、S114にて、強制両面パスモードボタンを表示する。また、S115にて、ボタンのデフォルト状態をON状態の反転状態とする(図８の801)。
【００３４】
強制両面パスモード設定ボタンが非表示と設定された場合は、S116にて、強制両面パスモードボタンを非表示とする。図８の802のOKボタンを押下することで、強制両面パスモード設定情報が、HDD2004に記録される。
【００３５】
図１２は、図8の手差し給紙設定画面において、強制両面パスモードの設定ボタンを押下した際のフローチャートである。強制両面パスモードにした場合は、後述するように、実際に印刷を実行する前に一度定着し、両面パスを介して再度用紙を搬送し、その後印刷を実行することにより指紋などの汚れを目立たなくさせることができる。
【００３６】
S121にて、強制両面パスモードボタンを押下する。S122にて、複写機は強制両面パスモードボタン押下状態を判断する。強制両面パスモードボタンが反転状態の場合は、S123にて、強制両面パスモードボタンを図８の801の反転表示状態から、図９の901の通常の表示
状態に表示を変更する。強制両面パスモードボタンが反転状態でない場合は、S124にて、強制両面パスモードボタンを図９の901の通常の表示状態から、図８の801の反転表示状態に表示を変更する。
【００３７】
図１３は、手差し給紙印刷のフローチャートである。
【００３８】
S131にて、印字開始ボタンを押下する。複写機はS132にて、強制両面パスモードの設定有無を判断する。強制両面パスモードの設定ならば、S133にて、手差し給紙部３４０より、感光ドラム３２３と転写部３２５との間に給紙される。その後、定着ローラ対３２６に給紙用紙を通し、給紙用紙に対する温度上昇、加圧によるプレ定着を行うことで、図５の用紙についた指紋跡等の汚れを除去する。
【００３９】
プレ定着後の給紙用紙はS134にて、排紙ローラ対３２７まで搬送した後に、排紙ローラ対３２７の回転方向を逆転させ、フラッパ３２８によって、両面ユニットの再給紙搬送路３３９に給紙用紙を搬送する。S135にて再給紙搬送路の給紙用紙は、感光ドラム３２３と転写部３２５との間に再給紙され、通常印字動作を行う。
【００４０】
強制両面パスモードが非設定ならば、通常印字動作を行う。
【図面の簡単な説明】
【００４１】
【図１】複写機の主要部の構成を示すブロック図である。
【図２】図１に示すスキャナおよびプリンタのハードウェア構成を示す側断面図である。
【図３】図１に示す操作部の構成を示す平面図である。
【図４】操作部上に表示される操作画面の一例を示す図である。
【図５】用紙に付着した指紋跡の一例を示す図である。
【図６】強制両面パスモードの設定ボタン表示設定を行うユーザモードの一例を示す図である。
【図７】手差し給紙設定画面の一例を示す図である。
【図８】強制両面パスモード有効化時の手差し給紙設定画面の一例を示す図である。
【図９】強制両面パスモード無効化時の手差し給紙設定画面の一例を示す図である。
【図１０】ユーザモードにおける強制両面パスモードボタン表示設定画面を示すフローチャートである。
【図１１】強制両面パスモードを設定するフローチャートである。
【図１２】強制両面パスモードボタンを押下する際のフローチャートである。
【図１３】手差し給紙印刷のフローチャートである。
【図１】
2007286108.tif 000003
【図２】
2007286108.tif 000004
【図３】
2007286108.tif 000005
【図４】
2007286108.tif 000006
【図５】
2007286108.tif 000007
【図６】
2007286108.tif 000008
【図７】
2007286108.tif 000009
【図８】
2007286108.tif 000010
【図９】
2007286108.tif 000011
【図１０】
2007286108.tif 000012
【図１１】
2007286108.tif 000013
【図１２】
2007286108.tif 000014
【図１３】
2007286108.tif 000015